(57)【要約】【課題】  昼間でも暗い場所や、補助的に光が必要な場合、あるいは立ち入りを制限する場合を安全にまた容易に注意喚起できるよう光を照射することができる新規な移動型投光器を提供することを目的とする。【解決手段】  台車に立設した伸縮支柱の上端に照明器具を装備すると共に、この照明器具に電源を供給する充電型電池を台車とを一体化した移動型投光装置において、移動型投光装置には、移動型太陽光発電器と、この移動型太陽光発電器を設置する載置台と、この移動型太陽光発電器を離間した場所で使用した場合の延長コードを収納する収納部を有し、移動型投光装置の移動先で太陽光発電器の光源が取得できない場合、移動型太陽光発電器を移動して使用できるようにした。【選択図】図３
2017103195.tif 000002
【特許請求の範囲】
【請求項１】
台車に立設した伸縮支柱の上端に照明器具を装備すると共に、前記照明器具に電源を供給する充電型電池を台車とを一体化した移動型投光装置であって、
前記移動型投光装置には、移動型太陽光発電器と、この移動型太陽光発電器を設置する載置台と、この太陽光発電器を離間した場所で使用した場合の延長コードを収納する収納部を有し、前記移動型投光装置の移動先で前記太陽光発電器の光源が取得できない場合、前記太陽光発電器を移動して使用できるようにした移動型投光装置。
【請求項２】
前記移動型投光装置に、蛇腹式の鉄条網の一方の端部を固定した収納箱と前記蛇腹式の鉄条網のもう一方の端部を固定した蓋部からなる鉄条網収納箱を一体化した前記請求項１記載の移動型投光装置。
【請求項３】
前記照明器具は、ＬＥＤ照明器具であることを特徴とする前記請求項１記載の移動型投光装置。
【請求項４】
前記鉄条網はチタン合金で構成されたことを特徴とする前記請求項２記載の移動型投光装置。
【発明の詳細な説明】
【技術分野】
【０００１】  本発明は、工事現場、キャンプ場等あるいは立ち入り禁止区域や光が不足する区域での照明として使用される投光器に関する。詳しくは、昼間でも光源が少なく、補助的に照明する場合や立ち入り禁止区域で通行を制限することを強調するのに便利な移動型投光器に関するものである。
【背景技術】
【０００２】  従来から、発電機を搭載する台車に立設した伸縮支柱の上端に、ランプ（電球）の光を照射するスポット型の照明器具を所要数装備した投光機が知られている。【０００３】  この種の投光機において、上記照明器具から照射される光（投光）は明るい方が工事作業などを行い易いことは言うまでもないが、昼間でも暗い場所や、立ち入り禁止区域などで、立ち入り制限を強調する場合、またそれを確実に伝えることができない等の不具合があった。【０００４】  さらに、昼間でも薄暗い場所は、建築物や木陰で太陽光が遮られる場合が多く、その場で太陽光発電器を利用することが難しい。また、立ち入りを制限する場合や諸注意を掲載しても通行人の注意を喚起できず、その目的を達成することができなかった。
【先行技術文献】
【特許文献】
【０００５】
【特許文献１】特開２００６−１９０８００号公報
【発明の概要】
【発明が解決しようとする課題】
【０００６】  前記特許文献１には、移動型投光装置が開示されている。この発明では、蓄電池のみで電源を供給する技術が開示されているが、蓄電池の交換作業ができない場合や、立ち入りを制限する場所での移動型投降器の技術については開示されてない。【０００７】  本発明はこの様な従来事情に鑑みてなされたもので、その目的とする処は、昼間でも暗い場所や、補助的に光が必要な場合、あるいは立ち入りを制限する場合を安全にまた容易に注意喚起できるよう光を照射することができる新規な移動型投光器を提供することにある。
【課題を解決するための手段】
【０００８】  この問題を解決するため、本発明の移動型投光装置は、台車に立設した伸縮支柱の上端に照明器具を装備すると共に、この照明器具に電源を供給する充電型電池を台車とを一体化した移動型投光装置であって、移動型投光装置には、移動型太陽光発電器と、この移動型太陽光発電器を設置する載置台と、この移動型太陽光発電器を離間した場所で使用した場合の延長コードを収納する収納部を有し、移動型投光装置の移動先で太陽光発電器の光源が取得できない場合、前記移動型太陽光発電器を移動して使用できるようにした。【０００９】  請求項２では、移動型投光装置に、蛇腹式の鉄条網の一方の端部を固定した収納箱とこの蛇腹式の鉄条網のもう一方の端部を固定した蓋部からなる鉄条網収納箱を一体化して構成した。【００１０】  請求項３において、記照明器具は、ＬＥＤ照明器具で構成した。これにより電源が少ないところでも効果的に電源を供給できるようにした。【００１１】  請求項４では、鉄条網はチタン合金で構成し、軽量かつ耐久性を向上させ、移動効率も向上させた。
【発明の効果】
【００１２】  通常、太陽光発電器は移動用投光器の載置台に乗っているので移動先で素早く充電しながら照射できるが、太陽光などの光が弱い場合は、太陽光発電器のみを光のある部分に移動でき、効率よく充電できる。また立ち入りを制限する場合、鉄条網付きの移動用投光器を、目的の場所に移動させ、鉄条網をセットして、立ち入りを制限することもできる。その際も、その状態を注目させる照射により引き立たせることができる。
【図面の簡単な説明】
【００１３】
【図１】本発明の最適な実施例を示す移動型投光器を示す斜視説明図。
【図２】本発明の図１で示した移動型投光器の正面説明図。
【図３】本発明の実施例を示す移動型投光器の使用状態説明図。
【図４】本発明の鉄条網収納箱を付けない場合の移動型投光器を使用状態説明図。
【発明を実施するための形態】
【００１４】  次に、図面に基づいて本発明を詳細に説明する。移動型投光装置１は、台車２に立設した伸縮支柱３の上端に照明器具４を装備すると共に、この照明器具４に電源を供給する充電型電池５を台車２とを一体化したものであって、移動型投光装置１には、移動型太陽光発電器６と、この移動型太陽光発電器６を設置する載置台７と、この移動型太陽光発電器６を離間した場所で使用した場合の延長コード８を収納する収納部９を有し、移動型投光装置１の移動先で太陽光発電器の光源が取得できない場合、前記移動型太陽光発電器６を移動して使用できるようにした。
【００１５】  台車２は、車体ベースの前後左右に車輪２ａを回動自在に軸承したもので、これにより車輪付きの充電型電池６を係脱可能に搭載し得るように形成できる。また後部には伸縮支柱３を立設してある。
尚、移動型太陽光発電器６については、上述の如く台車２上に着脱可能に搭載するよう構成されており、そのための延長コード８が収納部９に収納されるようになっているが、その構成については特に限定されるものではない。
【００１６】  伸縮支柱２は、台車２の後部上面に基管柱を立上げ、その基管柱内に、該基管柱に対して遂次内径を小さくした少なくとも一つの中管柱、一本又は二本を順次上下摺動可能に遊嵌し、これら中管柱を公知の昇降手段によって順次上下摺動させることによって、照明器具４の高さを適宜に変更且つ設定し得るように形成してある。
【００１７】  そして、中間柱の上端には、適宜なジョイント部材を介して最上段の接続柱を着脱可能に挿し込んで接続することにより、照明器具４を装備し得るようにしてある。
【００１８】  上記ジョイント部材には、充電型電池５に通電するケーブルのプラグと、照明器具４に通電するケーブルのプラグが差し込まれ、これにより、充電型電池５と照明器具４を通電可能に電気的に接続し、充電型電池５から供給される電気で電球（例えばＬＥＤランプ）が点灯するよう構成してある。
【００１９】  各中管柱を上下摺動させる昇降手段としては特に限定されるものではないが、例えば基管柱に設けたウインチに巻回したワイヤーの先端を中管柱に連結すると共に、そのワイヤーの中途部分を、中管柱に設けた滑車に掛け渡し、前記ウインチによるワイヤーの巻上げ、繰出しにより夫々の中管柱を上げ下げ操作するよう構成したものや、基管柱内に組み込んだガスダンパーの反撥力を利用して、夫々の中管柱を上げ下げする操作を片手で行い得るように構成するものが例示できる。
【００２０】  また、伸縮支柱３には充電型電池５からのケーブルを部分的に夫々支持させ、基管柱に対して夫々の中管柱を上げる操作を行うと夫々の支持部によりそのケーブルが伸ばされ、下げる操作を行うとそのケーブルがループ状にまとめられるようにしてある。
【００２１】  最適な実施例として、移動型投光装置１に、蛇腹式の鉄条網１１の一方の端部を固定した収納箱１２とこの蛇腹式の鉄条網１１のもう一方の端部を固定した蓋部１３からなる鉄条網収納箱１４を一体化して構成した。
【００２２】  移動型投光装置１に鉄条網収納箱１４を一体化するための接続方法としては、図２の正面図に示したように、Ｌ字状のジョイントバー２１で、それぞれボルト留めして一体化しているが、一体化方法については限定されるものではない。実施例では、移動型投光装置１の車体ベース上と、鉄条網収納箱１４の収納箱１２底板にそれぞれ固定され、鉄条網１１を使用する場合は、蓋部１３を外して、引き出していけば、図４のように、鉄条網１１が蛇腹状に開いて鉄条網の壁ができるようになっている。
【００２３】  また、鉄条網収納箱１４の収納箱１２、蓋部１３の上部には対向して、赤外線の投光器、受講器による赤外線センサー１５、１６が設けられており、鉄条網１１の上を通過した時や、鉄条網１１を切断して通過したり、あるいは、鉄条網１１を動かした場合に、図示してないが警報が発せられるように設計されている。
【００２４】  請求項４に示したように、鉄条網１１はチタン合金で構成し、軽量かつ耐久性を向上させたものを選択すれば、移動型投光装置１に一体化しても簡単に移動でき、頻繁に使用しても、耐久性のある移動型鉄条網として、有効なものとなる。
【００２５】  また、照明器具４は、理想的には、ＬＥＤ照明器具で構成することにより電源が少ないところでも太陽光発電器程度でも、また電源が少ないところでも長時間効果的に電源を供給できるようにした。
【００２６】  図４の１０は、移動型投光器１を移動させる際に、取手である。図１乃至３中の取手は、鉄条網収納箱１４のかげにあり確認できないが同様のものが取り付けられている。
【符号の説明】
【００２７】  １…移動型投光器
２…台車
３…伸縮支柱
４…照明器具
５…充電型電池
６…移動型太陽光発電器
７…載置台
８…延長コード
９…収納部
１０…移動用取手
１１…鉄条網
１２…収納箱
１３…蓋部
１４…鉄条網収納箱
１５、１６…赤外線センサー
【図１】
2017103195.tif 000003
【図２】
2017103195.tif 000004
【図３】
2017103195.tif 000005
【図４】
2017103195.tif 000006